(57)【要約】【課題】紫外線吸収性能を低下させることなく、従来の製造方法によっても高精度でモスアイ構造を形成できることにより、反射防止機能に優れたモスアイ型反射防止フィルムを提供することを主目的とする。【解決手段】光透過性基板と、上記光透過性基板上に形成され、紫外線硬化性樹脂からなり、かつ表面に可視光領域の波長以下の周期で形成された凹凸形状を有する反射防止層とを有する反射防止フィルムであって、上記反射防止層に紫外線吸収剤が含まれており、かつ上記光透過性基板が実質的に紫外線を吸収する性質を有さないものであることを特徴とする反射防止フィルムを提供することにより上記課題を解決するものである。【選択図】図１
2011048000.tif 000002
【特許請求の範囲】
【請求項１】
光透過性基板と、前記光透過性基板上に形成され、紫外線硬化性樹脂からなり、かつ表面に可視光領域の波長以下の周期で形成された凹凸形状を有する反射防止層と、を有する反射防止フィルムであって、
前記反射防止層に紫外線吸収剤が含まれており、かつ前記光透過性基板が実質的に紫外線を吸収する性質を有さないものであることを特徴とする、反射防止フィルム。
【請求項２】
波長３６０ｎｍ〜４００ｎｍの紫外線透過率が８０％以下であることを特徴とする、請求項１に記載の反射防止フィルム。
【請求項３】
前記光透過性基板が、波長２６０ｎｍ〜３５０ｎｍの紫外線透過率が６０％以上であることを特徴とする請求項１または請求項２に記載の反射防止フィルム。
【請求項４】
前記反射防止層における紫外線吸収剤の含有量が０．０１重量％〜１０重量％の範囲内であることを特徴とする請求項１から請求項３までのいずれかの請求項に記載の反射防止フィルム。
【請求項５】
偏光子、
前記偏光子の一方の面に貼り合わされた反射防止フィルム、
および、前記偏光子の他方の面に貼り合わされた偏光板保護フィルムとを有する偏光板であって、
前記反射防止フィルムが、光透過性基板と、前記光透過性基板上に形成され、紫外線硬化性樹脂からなり、かつ表面に可視光領域の波長以下の周期で形成された凹凸形状を有する反射防止層とを有するものであり、さらに前記反射防止層に紫外線吸収剤が含まれており、かつ前記光透過性基板が実質的に紫外線を吸収する性質を有さないものであることを特徴とする、偏光板。
【請求項６】
少なくとも液晶セルと、前記液晶セルの表示側に配置された第１偏光板と、前記液晶セルのバックライト側に配置された第２偏光板と、を有する液晶表示装置であって、
前記第１偏光板が、偏光子、前記偏光子の一方の面に貼り合わされた反射防止フィルム、
および、前記偏光子の他方の面に貼り合わされた偏光板保護フィルムを有するものであり、前記反射防止フィルムが、光透過性基板と、前記光透過性基板上に形成され、紫外線硬化性樹脂からなり、かつ表面に可視光領域の波長以下の周期で形成された凹凸形状を有する反射防止層とを有するものであり、さらに前記反射防止層に紫外線吸収剤が含まれており、かつ前記光透過性基板が実質的に紫外線を吸収する性質を有さないものであることを特徴とする、液晶表示装置。
【発明の詳細な説明】
【技術分野】
【０００１】
本発明は、フラットパネルディスプレイ等に用いられるモスアイ型の反射防止フィルム、およびこれが用いられた偏光板、表示装置に関するものである。
【背景技術】
【０００２】
近年、パーソナルコンピューターの発達、特に携帯用パーソナルコンピューターの発達に伴って、フラットパネルディスプレイの需要が増加している。また、最近においては家庭用の薄型テレビの普及率も高まっており、益々フラットパネルディスプレイの市場は拡大する状況にある。さらに近年普及しているフラットパネルディスプレイは大画面化の傾向があり、特に家庭用の液晶テレビに関してはその傾向が強くなってきている。このようなフラットパネルディスプレイとしては、液晶ディスプレイ、プラズマディスプレイ、さらには有機ＥＬディスプレイ等の種々の表示方式のものが採用されており、いずれの方式のディスプレイにおいても映像の表示品質を向上させることを目的とした研究が日々行われている。なかでも、表示品質の向上を目的とした光の反射防止技術の開発は、各方式のディスプレイにおいて共通する重要な技術的課題の一つになっている。
さらに、フラットパネルディスプレイの分野以外においても、反射防止技術は多方面において益々重要性を増している。
【０００３】
従来、このような反射防止技術としては、例えば、低屈折率の物質からなる薄膜を単層で表面に形成することにより、単一波長の光に対して有効な反射防止効果を得る技術や、低屈折率物質と高屈折率物質の薄膜を交互に形成した複数層を形成することにより、広い波長範囲の光に対して反射防止効果を得る技術が用いられてきた。なかでも複数層を用いる技術は、その層数を増加させることによって、より広い波長域を有する光に対しても反射防止効果を得ることができる点において有用であったことから、種々の用途において実用化が図られてきた。
【０００４】
しかしながら、このような複数層を用いる技術においても幾つかの問題点があった。
（１）まず第１に、反射防止効果に優れた複数層を形成するには、通常、真空蒸着法などを用いて成膜する必要があるため、表示装置を製造するに際して真空設備を備えることが必要となってしまうという問題点があった。また、真空蒸着法では、成膜時間も長時間になるのが一般的であったことから、製造効率の問題も指摘されていた。特に、周囲光が非常に強い環境で使用されるディスプレイに対しては、一層高い反射防止性能が要請されるため、複数層を構成する層数を増加させる必要があることから、製造コストが著しく高くなってしまうという問題点があった。
（２）第２に、技術的観点からしても、複数層による反射防止技術は、光の干渉現象を利用するものであるため、反射防止効果が光の入射角や波長に大きく影響してしまい、望みどおりの反射防止効果を得ることが困難であるという問題点があった。
【０００５】
このような問題点に対し、特許文献１〜６には凹凸の周期が可視光の波長以下に制御された微細な凹凸パターンが表面に形成することによって反射防止を図る技術が開示されている。このような方法は、いわゆるモスアイ（ｍｏｔｈ  ｅｙｅ（蛾の目））構造の原理を利用したものであり、基板に入射した光に対する屈折率を連続的に変化させ、屈折率の不連続界面を消失させることによって光の反射を防止するものである。このようなモスアイ構造を用いた反射防止技術は、簡易な方法によって広い波長範囲の光の反射を防止できる点において有用であることから、ディスプレイの分野においてもその実用化が検討されている。
なお、上記モスアイ構造に用いられる凹凸パターンとしては、円錐形や四角錐形などの錐形体が一般的である。
【０００６】
上記モスアイ構造を利用した反射防止フィルム（以下、「モスアイ型反射防止フィルム」と称する場合がある。）は、光透過性基板上に、紫外線硬化性樹脂からなり、表面にモスアイ構造が賦型された反射防止層が積層された構成を有するものが一般的である。そして、当該モスアイ構造は、通常、その微細な凹凸形状を反転させた形状を有するスタンパ（金型あるいは鋳型）を用いて、その凹凸型を任意の樹脂層に転写することによって製造される。したがって、モスアイ構造を有する反射防止フィルムを作製する方法としては、通常、光透過性基板上に紫外線硬化性樹脂からなる樹脂層を形成した後、上記のようなスタンパを用いて当該樹脂層の表面にモスアイ構造を賦型し、さらに上記光透過性基板側から紫外線を照射して当該樹脂層を硬化させることによって形成する方法が用いられる。
【０００７】
このようなモスアイ型反射防止フィルムの製造方法について図を参照しながら説明する。図７は、一般的なモスアイ型反射防止フィルムの製造方法について説明する概略図である。図７に例示するように、モスアイ型反射防止フィルムを作製する方法としては、通常、光透過性基板１０１を用い（図７（ａ））、当該光透過性基板１０１上に紫外線硬化性樹脂からなる樹脂層１０２を形成し（図７（ｂ））、次いでスタンパ１０３を用いて当該樹脂層１０２の表面にモスアイ構造を賦型し（図７（ｃ））、さらに上記光透過性基板１０１側から紫外線を照射して当該樹脂層１０２を硬化させた後（図７（ｄ））、スタンプ１０３を剥離する（図７（ｅ））ことによって製造する方法が一般的である。
【先行技術文献】
【特許文献】
【０００８】
【特許文献１】特表２００１−５１７３１９号公報
【特許文献２】特開２００４−２０５９９０号公報
【特許文献３】特開２００４−２８７２３８号公報
【特許文献４】特開２００１−２７２５０５号公報
【特許文献５】特開２００２−２８６９０６号公報
【特許文献６】国際公開第２００６／０５９６８６号パンフレット
【発明の概要】
【発明が解決しようとする課題】
【０００９】
ところで、モスアイ型反射防止フィルムは反射防止機能が要請されるあらゆる用途に使用することができるものであるが、液晶表示装置に用いられる偏光板を構成する部材（偏光板保護フィルム）としての用途が代表的である。そして、偏光板は、偏光子の両面に偏光板保護フィルムが貼り合わされた構造を有するところ、当該偏光子として代表的なＰＶＡ−ヨウ素錯体膜は紫外線によって劣化が生じることから、上記偏光板保護フィルムには紫外線吸収剤が含まれているのが一般的である。したがって、上記偏光板保護フィルムとして使用されるモスアイ型反射防止フィルムにおいても、紫外線吸収性能を付与するために紫外線吸収剤が含まれる光透過性基板が用いられるのが一般的であった。
【００１０】
しかしながら、紫外線吸収剤を含有する光透過性基板を用いてモスアイ型反射防止フィルムを製造する場合には、次のような問題点があった。
すなわち、モスアイ型反射防止フィルムは、上記図７に例示したようにモスアイ構造を賦型する工程において、上記光透過性基板側から紫外線を照射して、紫外線硬化性樹脂からなる樹脂層を硬化させる方法が用いられるのが一般的であるところ、上記光透過性基板として紫外線吸収剤を含むものが用いられると、当該光透過性基板によって紫外線が吸収されてしまい、上記樹脂層を十分に硬化させることができなくなる結果、高精度でモスアイ構造を形成することが困難であるという問題点があった。このため、従来のモスアイ型反射防止フィルムは、製造適性が著しく劣っており、かつスタンプの凹凸型通りに高精度でモスアイ構造を形成することが困難であるという問題点があった。また、この問題点は、モスアイ型反射防止フィルムの汎用性を向上させる上では重大ものであった。
【００１１】
本発明はこのような問題点に鑑みてなされたものであり、紫外線吸収性能を低下させることなく、従来の製造方法によっても高精度でモスアイ構造を形成できることにより、反射防止機能に優れたモスアイ型反射防止フィルムを提供することを主目的とするものである。
【課題を解決するための手段】
【００１２】
上記課題を解決するために本発明は、光透過性基板と、上記光透過性基板上に形成され、紫外線硬化性樹脂からなり、かつ表面に可視光領域の波長以下の周期で形成された凹凸形状を有する反射防止層とを有する反射防止フィルムであって、上記反射防止層に紫外線吸収剤が含まれており、かつ上記光透過性基板が実質的に紫外線を吸収する性質を有さないものであることを特徴とする反射防止フィルムを提供する。
【００１３】
本発明によれば、光透過性基板が実質的に紫外線を吸収する性質を有さないことにより、本発明の反射防止フィルムを製造する工程において、当該光透過性基板側から紫外線を照射して紫外線硬化性樹脂からなる反射防止層を硬化させたとしても、当該光透過性基板に紫外線が吸収されることによって反射防止層の硬化が阻害されることがない。このため、本発明によれば、反射防止層を十分に硬化させることができる結果、反射防止層の表面に、スタンプ通りの凹凸形状を高精度で形成することができる。
また、本発明によれば、上記反射防止層に紫外線吸収剤が含まれることにより、本発明の反射防止フィルム全体として紫外線吸収性能を備えるものにできる。このため、例えば、本発明の反射防止フィルムを用いて偏光板を作製したとしても、紫外線の偏光子が経時劣化してしまうことを防止することができる。
このようなことから、本発明によれば紫外線吸収性能を低下させることなく、従来の製造方法によっても高精度でモスアイ構造を形成できることにより、反射防止機能に優れたモスアイ型反射防止フィルムを提供することができる。
【００１４】
本発明の反射防止フィルムは、波長３６０ｎｍ〜４００ｎｍの紫外線透過率が８０％以下であることが好ましい。本発明の反射防止フィルム全体として、このような紫外線吸収性能を有することにより、例えば、本発明の反射防止フィルムを偏光板等に用いた場合に、偏光子の紫外線による経時劣化を十分に防止することができるからである。また、上述したように、本発明の反射防止フィルムは反射防止層にのみ紫外線吸収剤が含まれており、上記光透過性基板は実質的に紫外線吸収性能を有さないものであるため、反射防止フィルムとしての紫外線吸収性能は、専ら反射防止層に紫外線吸収剤を含有されることによって発現されるものであるところ、上記波長範囲の紫外線に対する透過率が上記範囲よりも大きいと、反射防止層中に含有させる紫外線吸収剤の量が過大になり、紫外線吸収剤の存在が障害となって、反射防止層を十分に硬化させることができなくなる可能性があるからである。
【００１５】
また本発明においては、上記光透過性基板が、波長２６０ｎｍ〜３５０ｎｍの紫外線透過率が６０％以上であることが好ましい。上記光透過性基板の上記波長範囲の紫外線に対する透過率が上記範囲よりも小さいと、本発明の反射防止フィルムを製造する工程において、光透過性基板側から紫外線を照射して紫外線硬化性樹脂からなる反射防止層を硬化させる際に、紫外線が光透過性基板によって吸収されることによって反射防止層の硬化が不十分になってしまう場合があるからである。
【００１６】
さらに本発明においては、上記反射防止層における紫外線吸収剤の含有量が０．０１重量％〜１０重量％の範囲内であることが好ましい。紫外線吸収剤の含有量が上記範囲よりも多いと紫外線吸収剤の存在が障害となって、反射防止層を十分に硬化させることができなくなる可能性があり、一方、上記範囲よりも少ないと反射防止フィルム全体としての紫外線吸収性能が不十分になってしまう場合があるからである。
【００１７】
本発明は、偏光子、上記偏光子の一方の面に貼り合わされた反射防止フィルム、および、上記偏光子の他方の面に貼り合わされた偏光板保護フィルムとを有する偏光板であって、上記反射防止フィルムが、光透過性基板と、上記光透過性基板上に形成され、紫外線硬化性樹脂からなり、かつ表面に可視光領域の波長以下の周期で形成された凹凸形状を有する反射防止層とを有するものであり、さらに上記反射防止層に紫外線吸収剤が含まれており、かつ上記光透過性基板が実質的に紫外線を吸収する性質を有さないものであることを特徴とする偏光板を提供する。
【００１８】
本発明によれば、上記反射防止フィルムとして上記本発明に係る反射防止フィルムが用いられていることにより、紫外線による偏光子の経時劣化が少なく、かつ表示品質に優れた液晶表示装置を作製することが可能な偏光板を得ることができる。また、本発明の偏光板は上記光透過性基板に紫外線吸収剤等が含まれず、実質的に紫外線を吸収する性質を有さないことにより、偏光子と反射防止フィルムとの密着性を向上できるという利点を有する。
【００１９】
また本発明は、少なくとも液晶セルと、上記液晶セルの表示側に配置された第１偏光板と、上記液晶セルのバックライト側に配置された第２偏光板と、を有する液晶表示装置であって、上記第１偏光板が、偏光子、上記偏光子の一方の面に貼り合わされた反射防止フィルム、および、上記偏光子の他方の面に貼り合わされた偏光板保護フィルムを有するものであり、上記反射防止フィルムが、光透過性基板と、上記光透過性基板上に形成され、紫外線硬化性樹脂からなり、かつ表面に可視光領域の波長以下の周期で形成された凹凸形状を有する反射防止層とを有するものであり、さらに上記反射防止層に紫外線吸収剤が含まれており、かつ上記光透過性基板が実質的に紫外線を吸収する性質を有さないものであることを特徴とする液晶表示装置を提供する。
【００２０】
本発明によれば、上記第１偏光板として上記本発明に係る偏光板が用いられていることにより、紫外線による偏光子の経時劣化が少なく、かつ表示品質に優れた液晶表示装置を得ることができる。
【発明の効果】
【００２１】
本発明の反射防止フィルムは、紫外線吸収性能を低下させることなく、従来の製造方法によっても高精度でモスアイ構造を形成できることにより、反射防止機能に優れ、例えば、表示品質に優れた液晶表示措置を作製することができるという効果を奏する。
【図面の簡単な説明】
【００２２】
【図１】本発明の反射防止フィルムの一例を示す概略断面図である。
【図２】本発明における反射防止層の一例を示す概略図である。
【図３】本発明におけるモスアイ構造を特定するパラメーターを説明する概略図である。
【図４】本発明の反射防止フィルムの他の例を示す概略断面図である。
【図５】本発明の偏光板の一例を示す概略断面図である。
【図６】本発明の液晶表示装置の一例を示す概略断面図である。
【図７】一般的なモスアイ型反射防止フィルムの製造方法について説明する概略図である。
【発明を実施するための形態】
【００２３】
本発明は、反射防止フィルム、偏光板、および表示装置に関するものである。以下、これらの各発明について順に説明する。
【００２４】
Ａ．反射防止フィルム
まず、本発明の反射防止フィルムについて説明する。上述したように本発明の反射防止フィルムは、光透過性基板と、上記光透過性基板上に形成され、紫外線硬化性樹脂からなり、かつ表面に可視光領域の波長以下の周期で形成された凹凸形状を有する反射防止層とを有するものであって、上記反射防止層に紫外線吸収剤が含まれており、かつ上記光透過性基板が実質的に紫外線を吸収する性質を有さないものであることを特徴とするものである。
【００２５】
このような本発明の反射防止フィルムについて図を参照しながら説明する。図１は本発明の反射防止フィルムの一例を示す概略断面図である。図１に例示するように本発明の反射防止フィルム１０は、光透過性基板１と、上記光透過性基板１上に形成され、紫外線硬化性樹脂からなり、かつ表面に可視光領域の波長以下の周期で形成された凹凸形状を有する反射防止層２とを有するものである。
このような例において、本発明の反射防止フィルム１０は、上記反射防止層２に紫外線吸収剤が含まれており、かつ上記光透過性基板１が実質的に紫外線を吸収する性質を有さないものであることを特徴とするものである。
【００２６】
本発明によれば、光透過性基板が実質的に紫外線を吸収する性質を有さないことにより、本発明の反射防止フィルムを製造する工程において、当該光透過性基板側から紫外線を照射して紫外線硬化性樹脂からなる反射防止層を硬化させたとしても、紫外線が当該光透過性基板によって吸収され、反射防止層の硬化が阻害されることがない。このため、本発明によれば、反射防止層を十分に硬化させることができる結果、反射防止層の表面にスタンプ通りの凹凸形状を高精度で形成することができる。
また、本発明によれば、上記反射防止層に紫外線吸収剤が含まれることにより、本発明の反射防止フィルム全体として紫外線吸収性能を備えるものにできるため、例えば、本発明の反射防止フィルムを用いて偏光板を作製したとしても、紫外線の偏光子が経時劣化してしまうことを防止することができる。
【００２７】
さらに、本発明の反射防止フィルムは上記反射防止層にのみ紫外線吸収剤が含まれ、上記光透過性基板には紫外線吸収剤が含まれず、実質的に紫外線を吸収する性質を有さないという構成を有することにより、従来のモスアイ型反射防止フィルムでは達成できなかった、以下のような効果を奏することができる。
（１）まず第１に、本発明の反射防止フィルムの透明性を向上させることができる。
すなわち、従来の反射防止フィルムは、モスアイ構造を形成する際に紫外線吸収剤を含有する光透過性基板を通じて反射防止層に紫外線を照射することが必要であったため、紫外線が光透過性基板によって吸収されてしまい、反射防止層の硬化が阻害されるという現象が生じていた。このため、光透過性基板によって紫外線が吸収されても、なお反射防止層を一定程度硬化させるためには、必然的に紫外線照射量を増加させることが必要となっていた。このため、光透過性基板には過度の紫外線が照射されることになる結果、光透過性基板が黄変してしまうという問題があった。この点、本発明によれば、光透過性基板は実質的に紫外線を吸収する性能を有さないものであるため、光透過性基板を通じて照射された紫外線は、ほぼすべてが反射防止層の硬化のために費消されることになる。よって、短時間の紫外線照射によって十分に反射防止層を硬化できることから、光透過性基板の黄変等により透明性が損なわれることを防止することができる。このような効果は、上記光透過性基板として、トリアセチルセルロース等のセルロース誘導体からなるものが用いられる場合に顕著である。
（２）第２に、本発明の反射防止フィルムの機械的特性を改善することができる。
すなわち、上述したように従来のモスアイ型反射防止フィルムにおいては、その製造工程において光透過性基板に過度の紫外線を照射することが必要となっていた結果、光透過性基板が紫外線によって劣化してしまい、その可撓性が損なわれ、物理的に脆くなってしまうという問題点があった。この点、本発明によれば、反射防止層を硬化する際の紫外線照射量を少なくすることができるため、このような問題を解消でき、反射防止フィルム全体としての機械的特性を改善することができる。このような効果は、上記光透過性基板として、トリアセチルセルロース等のセルロース誘導体からなるものが用いられる場合に顕著である。
（３）第３に、本発明の反射防止フィルムを用いて、偏光板を作製した際に、偏光子と反射防止フィルムとの密着性を向上させることができる。
すなわち、従来の反射防止フィルムにおいては光透過性基板に紫外線吸収剤が含まれることが一般的であったところ、このような反射防止フィルムを偏光子に貼り合わせて反射防止フィルムを作製すると、上記光透過性基板中に、いわば不純物として存在する紫外線吸収剤の影響により、光透過性基板と偏光子との密着性が不足することがあった。しかしながら、本発明においては上記光透過性基板に紫外線吸収剤等が含まれず、実質的に紫外線を吸収する性質を有さないことにより、密着性を阻害する要素が排除されているため、偏光子と反射防止フィルムとの密着性を向上できるという効果がある。このような効果は、上記光透過性基板として、トリアセチルセルロース等のセルロース誘導体からなるものが用いられる場合に顕著である。その理由は次の通りである。
すなわち、トリアセチルセルロース等のセルロース誘導体からなり、紫外線吸収剤を含有する光透過性基板が用いられた反射防止フィルムによって偏光板を作製する場合、当該光透過性基板に偏光子との接着性を付与するために、光透過性基板の表面をけん化処理することが行われるが、このような処理が行われると紫外線吸収剤が表出し、偏光子との接着性を特に阻害するという問題がある。この点、上述したように本発明においては上記光透過性基板に紫外線吸収剤等が含まれず、実質的に紫外線を吸収する性質を有さないことにより、けん化処理を行ったとしても上述したような問題は生じないことから、特にトリアセチルセルロース等のセルロース誘導体からなるものが用いられる場合に効果が顕著になるのである。
【００２８】
このようなことから、本発明によれば紫外線吸収性能を低下させることなく、従来の製造方法によっても高精度でモスアイ構造を形成できることにより、反射防止機能に優れたモスアイ型反射防止フィルムを提供することができる。
【００２９】
本発明の反射防止フィルムは、少なくとも上記反射防止層と、光透過性基板とを有するものであり、必要に応じて他の任意の構成を有してもよいものである。
以下、本発明に用いられる構成について順に説明する。
【００３０】
１．反射防止層
まず、本発明における反射防止層について説明する。本発明における反射防止層は、後述する光透過性基板上に形成され、本発明の反射防止フィルムに所望の反射防止機能を付与するものである。また、本発明における反射防止層は、紫外線硬化性樹脂からなり、表面に可視光領域の波長以下の周期で形成された凹凸形状（以下、「モスアイ構造」と称する場合がある。）を有するものである。そして、本発明に用いられる反射防止層は、紫外線吸収剤を含有することを特徴とするものである。
【００３１】
本発明に用いられる反射防止層における紫外線吸収剤の含有量としては、本発明の反射防止フィルムの用途に応じて、反射防止フィルム全体として所望の紫外線吸収性能を付与できる範囲内であれば特に限定されるものではない。具体的な含有量については、紫外線の種類や、反射防止層あるいは光透過性基板に用いられる材料等に依存するため一義的に決定できるものではないが、なかでも本発明においては０．０１重量％〜１０重量％の範囲内であることが好ましく、０．０１重量％〜３重量％の範囲内であることがより好ましい。反射防止層における紫外線吸収剤の含有量が上記範囲よりも多いと、紫外線吸収剤の存在が障害となって、反射防止層を十分に硬化させることができなくなる可能性があり、一方、上記範囲よりも少ないと反射防止フィルム全体としての紫外線吸収性能が不十分になってしまう場合があるからである。
【００３２】
なお、本発明用いられる紫外線吸収剤としては、所望の波長範囲の紫外線を吸収することができるものであれば特に限定されるものではなく、一般的に公知の紫外線吸収剤を用いることができる。このような紫外線吸収剤としては、例えば、ベンゾフェノン系、ベンゾトリアゾール系、シアノアクリレート系の紫外線吸収剤を例示することができる。
【００３３】
次に、本発明における反射防止層に用いられる紫外線硬化性樹脂について説明する。本発明に用いられる紫外線硬化性樹脂としては、所定の波長領域の紫外線を照射することによって硬化させることができるものであれば特に限定されるものではない。もっとも、本発明の反射防止フィルムは、その製造工程において光透過性基板側から紫外線を照射して反射防止層を硬化させることを可能とするために、反射防止層のみに紫外線吸収剤を含有させているものであるため、上記紫外線硬化性樹脂は光透過性基板を透過し得る波長領域の紫外線によって硬化するものであることが必要である。このため、本発明に用いられる紫外線硬化性樹脂は、硬化される紫外線の波長が２００ｎｍ〜３５０ｎｍの範囲内であるものが好ましく、２５０ｎｍ〜３５０ｎｍの範囲内であるものがより好ましく、
２５０ｎｍ〜３００ｎｍの範囲内であるものがさらに好ましい。
【００３４】
また、本発明に用いられる反射防止層の反射防止機能は、反射防止層に用いられる紫外線硬化性樹脂の屈折率、および後述する光透過性基板の屈折率にも依存するものである。すなわち、反射防止層に用いられる紫外線硬化性樹脂の屈折率と、光透過性基板の屈折率との差が小さいほど屈折率の不連続性を是正することができるため、反射防止層の反射防止機能を向上させることができる。このような観点から、本発明に用いられる紫外線硬化性樹脂は光透過性基板の屈折率との差が０〜０．０５の範囲内であるものが好ましく、０〜０．０３の範囲内であるものがより好ましく、０であるものがさらに好ましい。
【００３５】
なお、紫外線硬化性樹脂の具体的な屈折率の値は、後述する光透過性基板との関係で決定されるものであり、特に好ましい値が特定されるものではないが、通常、１．３０〜１．７０の範囲内とされる。
【００３６】
本発明に用いられる紫外線硬化性樹脂の具体例としては、例えば、アクリル樹脂、ポリエステル、エポキシ樹脂、ポリオレフィン、スチロール樹脂、ポリアミド、ポリイミド、ポリアミドイミド、ポリウレタン、ポリ酢酸ビニル、ポリビニルアルコール、ポリビニルブチラール、ポリカーボネート、メラミン樹脂、尿素樹脂、アルキッド樹脂、フェノール樹脂、セルロース樹脂、ジアリルフタレート樹脂、シリコーン樹脂、ポリアリレート樹脂、ポリアセタール樹脂、スチレン−イソプレンゴム等を挙げることができる。
【００３７】
次に、反射防止層の表面に形成されたモスアイ構造を構成する凹凸形状について説明する。本発明における上記凹凸形状としては、可視光領域の波長以下の周期で形成された凹凸形状を有するものであれば特に限定されるものではなく、本発明の反射防止フィルムの用途等に応じて、任意の形状を選択して用いることができる。なかでも本発明における凹凸形状は、円錐、四角錐等の錐形の構造物が周期的に形成されたものであることが好ましい。
【００３８】
ここで、上記凹凸形状として錐形の構造物が周期的に形成されたものが用いられる場合、当該錐形の構造物としては、頂部が平坦に形成されたものであってもよく、あるいは、頂部が鋭角に形成されたものであってもよい。上記凹凸形状として錐形の構造物が周期的に形成される場合について図を参照しながら説明する。図２は、本発明におけるモスアイ構造部を構成する凹凸形状の一例を示す概略図である。図２に例示するように、上記凹凸形状として錐形の構造物を周期的に形成されたものが用いられる場合、上記錐形の構造物としては、頂部が平坦に形成されたものであってもよく（図２（ａ））、あるいは、頂部が鋭角に形成されたものであってもよい（図２（ｂ））。
【００３９】
本発明におけるモスアイ構造部を構成する凹凸形状として、錐形の構造物が周期的に形成されたものが用いられる場合、本発明の反射防止フィルムが備える反射防止機能は、主として当該錐形の構造物が形成された周期、高さ、間隔に依存することになる。
なお、錐形の構造物が形成された周期、高さ、および間隔は、それぞれ図３におけるＰ、Ｑ、およびＲで表される距離を指すものである。
【００４０】
上記錐形の構造物の周期は、可視光領域の波長以下であれば特に限定されるものではなく、本発明の反射防止フィルムの用途等に応じて適宜決定することができる。ここで、上記周期は、本発明に用いられる反射防止層の反射率の波長依存性に影響を及ぼすものであり、その周期が長くなるほど可視光領域の短波長側の光に対する反射率が増加する傾向にある。一方、周期が２００ｎｍ以下においては、周期の変動に伴う反射率の波長依存性の変化は少なくなるものである。このようなことから、本発明における上記周期は、１０ｎｍ〜４００ｎｍの範囲内であることが好ましく、３０ｎｍ〜３００ｎｍの範囲内であることがより好ましく、５０ｎｍ〜２００ｎｍの範囲内であることがさらに好ましい。錐形の構造物が形成された周期が上記範囲よりも短いと、個々の構造物の形状が極微小になることから、高精度で構造物を形成することが困難になる場合があるからである。また、周期が上記範囲よりも長いと、本発明における反射防止層の短波長側の光に対する反射防止機能が不十分になってしまう場合があるからである。
【００４１】
上記錐形の構造物の高さについても、本発明における反射防止層に所望の反射防止機能を付与できる範囲内で、適宜調整することができるものであり、特に限定されるものではない。ここで、上記高さは高いほど反射防止層の反射率を低くすることができ、一方、低くなると長波長側の反射率が増加する傾向にある。このようなことから、本発明における上記錐形の構造物の高さは、１００ｎｍ〜６００ｎｍの範囲内であることが好ましく、１００ｎｍ〜４００ｎｍの範囲内であることがより好ましく、１００ｎｍ〜３００ｎｍの範囲内であることがさらに好ましい。構造物の高さが上記範囲よりも高いと、個々の構造物が損壊しやすくなってしまう場合があり、また高さが上記範囲よりも低いと、本発明における反射防止層の長波長側の光に対する反射防止機能が不十分になってしまう場合があるからである。
【００４２】
また上記錐形の構造物が形成された間隔は、広くなるほど可視光の全波長領域において反射率が増加する傾向にあり、狭くなるほど可視光の全波長領域において反射率が低下する傾向にある。このようなことから、本発明における上記錐形の構造物が形成された間隔は、本発明における反射防止層に所望の反射防止機能を付与できる範囲内で、適宜調整することができるものであり、特に限定されるものではない。
なお、本発明における上記間隔はすべての構造物において均一ではない場合があるが、その場合における上記距離は、単位面積あたりに形成された構造物間の間隔の平均距離を指すものとする。
【００４３】
２．光透過性基板
次に、本発明に用いられる光透過性基板について説明する。本発明に用いられる光透過性基板は上述した反射防止層を支持するものであり、上記反射防止層と相まって本発明の反射防止フィルムに所望の反射防止機能を付与するものである。そして、本発明に用いられる光透過性基板は、実質的に紫外線を吸収する性質を有さないものであることを特徴とするものである。
【００４４】
このように、本発明に用いられる光透過性基板は実質的に紫外線を吸収する性質を有さないことと特徴とするものであるところ、「実質的に紫外線を吸収する性質を有さない」とは、上記光透過性基板に、紫外線の透過を阻害する材料が用いられていないことを意味するものである。より具体的には、上記光透過性基板に紫外線吸収剤などの紫外線を吸収する性質を有する材料が含まれないことを意味するものである。中でも本発明に用いられる光透過性基板は波長２６０ｎｍ〜３５０ｎｍの紫外線透過率が６０％以上であることが好ましく、９０％以上であることがより好ましく、９５％以上であることがさらに好ましい。上記波長範囲の紫外線に対する透過率が上記範囲よりも小さいと、本発明の反射防止フィルムを製造する工程において、光透過性基板側から紫外線を照射して紫外線硬化性樹脂からなる反射防止層を硬化させる際に、光透過性基板によって紫外線が吸収されることによって反射防止層の硬化が不十分になってしまう場合があるからである。
【００４５】
上述したような、紫外線透過率を実現するため本発明に用いられる光透過性基板は紫外線吸収剤を含有しないものであることが好ましい。
ここで、本発明において光透過性基板が紫外線吸収剤を含有しないとは、上記光透過性基板に紫外線吸収性能を付与することを目的として紫外線を吸収する化合物が添加されていないことを意味する。したがって、例えば、光透過性基板が樹脂材料からなるものであり、かつ当該樹脂材料が紫外線吸収性能を示す場合であっても、本発明においては光透過性基板に紫外線吸収剤が含まれていないという評価になる。
【００４６】
本発明に用いられる光透過性基板は、屈折率が上記反射防止層に用いられる硬化性樹脂の屈折率と同程度であることが好ましい。これにより、本発明の反射防止フィルムにおいて、反射防止層と光透過性基板との界面に屈折率の不連続界面が形成され、当該不連続界面において光が反射されることにより、本発明の反射防止フィルムの反射防止機能が損なわれることを防止することができるからである。なかでも本発明に用いられる光透過性基板は、当該光透過性基板の屈折率と上記硬化性樹脂の屈折率との差が０〜０．０５の範囲内であることが好ましく、０〜０．０３の範囲内であることがより好ましく、０であることがさらに好ましい。
なお、本発明に用いられる光透過性基板の屈折率の値は、上述した反射防止層の屈折率との関係において決定されるものであるから特に好ましい値はないが、通常１．３０〜１．７０の範囲内とされる。
【００４７】
本発明に用いられる光透過性基板を構成する材料としては、例えば、ポリ（メタ）アクリル酸メチル、ポリ（メタ）アクリル酸エチル、（メタ）アクリル酸メチル−（メタ）アクリル酸ブチル共重合体等のアクリル樹脂、ポリエチレン、ポリプロピレン、ポリメチルペンテン、環状オレフィン系高分子（代表的にはノルボルネン系樹脂等があるが、例えば、日本ゼオン株式会社製の製品名「ゼオノア」、ＪＳＲ株式会社製の「アートン」等がある）等のポリオレフィン系樹脂、ポリカーボネート樹脂、ポリエチレンテレフタレート、ポリエチレンナフタレート等の熱可塑性ポリエステル樹脂、ポリアミド、ポリイミド、ポリスチレン、アクリロニトリル−スチレン共重合体、ポリエーテルスルフォン、ポリスルフォン、トリアセチルセルロース等のセルロース系樹脂、ポリ酢酸ビニル、エチレン−酢酸ビニル共重合体、塩化ビニル、ポリ塩化ビニリデン、ポリエーテルエーテルケトン、ポリウレタン等の熱可塑性樹脂、或いは、ガラス（セラミックスを含む）等を挙げることができる。本発明においてはこれらのいずれの材料からなる光透過性基板であっても好適に用いることできるが、なかでもセルロース系樹脂からなる光透過性基板が用いられることが好ましく、特にトリアセチルセルロースからなる光透過性基板が用いられることが好ましい。上述したように、トリアセチルセルロースからなる光透過性基板が用いられることにより、本発明の反射防止フィルムにおいて、透明性、機械的特性、および偏光子との密着性を向上させることができるという効果が顕著であるからである。
【００４８】
３．反射防止フィルム
本発明の反射防止フィルムは、上記反射防止層に紫外線吸収剤が含まれることにより、反射防止フィルム全体として紫外線吸収性能を有するものとなる。ここで、本発明の反射防止フィルムが備える紫外線吸収性能としては、本発明の反射防止フィルムの用途等に応じて適宜決定することができるものであり、特に限定されるものではない。中でも本発明の反射防止フィルムは、波長３６０ｎｍ〜４００の紫外線透過率が８０％以下であることが好ましく、７５％以下であることがより好ましく、７０％以下であることがさらに好ましい。本発明の反射防止フィルム全体として、このような紫外線吸収性能を有することにより、例えば、本発明の反射防止フィルムを偏光板等に用いた場合に、偏光子の紫外線による経時劣化を十分に防止することができるからである。また、上述したように、本発明の反射防止フィルムは反射防止層にのみ紫外線吸収剤が含まれており、上記光透過性基板は実質的に紫外線吸収性能を有さないものであるため、反射防止フィルムとしての紫外線吸収性能は、専ら反射防止層に紫外線吸収剤を含有されることによって発現されるものであるところ、上記波長範囲の紫外線に対する透過率が上記範囲よりも大きいと、反射防止層中に含有させる紫外線吸収剤の量が過大になり、紫外線吸収剤の存在が障害となって、反射防止層を十分に硬化させることができなくなる可能性があるからである。
【００４９】
本発明の反射防止フィルムは、少なくとも上記反射防止層と上記光透過性基板とを有するものであるが、必要に応じて他の任意の構成が用いられていてもよい。本発明に用いられる任意の構成は特に限定されるものではなく、本発明の反射防止フィルムの用途等に応じて、所望の機能を付与することができる構成を適宜選択して用いることができる。なかでも本発明に好適に用いられる任意の構成としては、上記反射防止層と、上記光透過性基板との間に形成されるハードコート層を挙げることができる。ハードコート層が形成されていることにより、本発明の反射防止フィルムの硬度を向上させることができるため、本発明の反射防止フィルムを液晶表示装置等の表示装置に用いた場合に、本発明の反射防止フィルムを保護フィルムとして用いることも可能になるという利点がある。
【００５０】
本発明の反射防止フィルムが上記ハードコート層を有する場合について図を参照しながら説明する。図４は本発明の反射防止フィルムがハードコート層を有する場合の一例を示す概略断面図である。図４に例示するように、本発明の反射防止フィルム１０は、反射防止層２と光透過性基板１との間にハードコート層３が形成されていてもよい。
【００５１】
本発明に用いられるハードコート層としては、実質的に紫外線を吸収する性質を有さず、所望の硬度を有するものであれば特に限定されるものではない。このようなハードコート層を構成する材料としては、例えば、比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物の（メタ）アクリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、トリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールヘキサ（メタ）アクリレート、１、６−ヘキサンジオールジ（メタ）アクリレート、ネオペンチルグリコールジ（メタ）アクリレート等を挙げることができる。
【００５２】
また、本発明に用いられるハードコート層の厚みは、上述したハードコート層に用いられる材料の種類に応じて、ハードコート層に所望の硬度を付与することができる範囲内であれば特に限定されるものではない。なかでも本発明に用いられるハードコート層の厚みは１μｍ〜３０μｍの範囲内であることが好ましく、３μｍ〜２０μｍの範囲内であることがより好ましく、５μｍ〜１５μｍの範囲内であることがさらに好ましい。ハードコート層の厚みが上記範囲よりも厚いと、ハードコート層を構成する材料の種類によっては本発明の反射防止フィルムにカールが生じてしまう場合があるからである。一方、上記厚みが上記範囲よりも薄いと、ハードコート層を構成する材料によっては、ハードコート層の硬度を所望の程度にすることが困難になる場合があるからである。
【００５３】
さらに、本発明に用いられるハードコート層は、屈折率が上記反射防止層の屈折率および上記光透過性基板の屈折率と同程度であることが好ましい。これにより、本発明の反射防止フィルムにおいて反射防止層とハードコート層との境界、およびハードコート層と光透過性基板との境界において屈折率の不連続界面が形成されることを防止できるため、これらの境界において光が反射されることに起因して、本発明の反射防止フィルムの反射防止機能が損なわれることを防止できるからである。なかでも本発明に用いられるハードコート層の屈折率と、上記反射防止層および上記光透過性基板との屈折率の差は０〜０．０５の範囲内であることが好ましく、０〜０．０３の範囲内であることがより好ましく、０であることがさらに好ましい。
【００５４】
４．反射防止フィルムの製造方法
次に、本発明の反射防止フィルムの製造方法について説明する。本発明の反射防止フィルムは、いわゆるモスアイ型の反射防止フィルムを製造する方法として一般的に公知の方法を用いて製造することができる。なかでも本発明の反射防止フィルムの製造方法としては、本発明における反射防止層のモスアイ構造を形成することが可能な形状を有する金型を用い、当該金型に紫外線硬化性樹脂を含有する硬化性樹脂組成物を充填する工程と、当該金型に充填された硬化性樹脂組成物上に光透過性基板を配置する工程と、上記硬化性樹脂組成物と上記光透過性基板とが接した状態で上記光透過性基板側から紫外線を照射することにより、上記硬化性樹脂組成物を硬化させる工程と、硬化された硬化性樹脂組成物から上記金型を剥離する工程とを有する製造方法を挙げることができる。
さらに、上記光透過性基板を用い、当該光透過性基板上に紫外線硬化性樹脂を含有する硬化性樹脂組成物を塗工することにより、硬化性樹脂組成物からなる膜を形成する工程と、本発明における反射防止層のモスアイ構造を形成することが可能な形状を有する金型を用い、上記硬化性樹脂組成物からなる膜にモスアイ構造を賦型する工程と、上記光透過性基板側から紫外線を照射することにより上記硬化性樹脂組成物を硬化させる工程と、上記金型を剥離する工程とを有する製造方法が好適に用いられる。ここで、上記硬化性樹脂組成物は硬化されることによって、本発明における反射防止層となる。
これらの製造方法は、モスアイ型反射防止フィルムを製造する方法としては一般的に公知の方法であるが、本発明の反射防止フィルムは反射防止層にのみ紫外線吸収剤が含まれることにより、このような方法が用いられる場合であっても、高精度でモスアイ構造を形成できることにより、反射防止機能に優れたモスアイ型反射防止フィルムを得ることができる。
【００５５】
５．反射防止フィルムの用途
本発明の反射防止フィルムは、反射防止機能が必要とされるあらゆる用途に用いることができるが、液晶表示装置用の偏光板を構成する部材として最も好適に用いることができる。これ以外も例えば、フォトフレームや、美術品の展示フレーム等にも用いることができる。
【００５６】
Ｂ．偏光板
次に、本発明の偏光板について説明する。上述したように本発明の偏光板は、偏光子、上記偏光子の一方の面に貼り合わされた反射防止フィルム、および、上記偏光子の他方の面に貼り合わされた偏光板保護フィルムとを有するものであって、上記反射防止フィルムとして上記本発明に係る反射防止フィルムが用いられたていることを特徴とするものである。すなわち、本発明の偏光板は、上記反射防止フィルムが、光透過性基板と、上記光透過性基板上に形成され、紫外線硬化性樹脂からなり、かつ表面に可視光領域の波長以下の周期で形成された凹凸形状を有する反射防止層とを有するものであり、さらに上記反射防止層に紫外線吸収剤が含まれており、かつ上記光透過性基板が実質的に紫外線を吸収する性質を有さないものであることを特徴とするものである。
【００５７】
このような本発明の偏光板について図を参照しながら説明する。図５は、本発明の偏光板の一例を示す概略断面図である。図５に例示するように、本発明の偏光板２０は、偏光子２１、上記偏光子２１の一方の面に貼り合わされた反射防止フィルム１０、および、上記偏光子２１の他方の面に貼り合わされた偏光板保護フィルム２２とを有するものである。
このような例において、本発明の偏光板２０は、上記反射防止フィルム１０が、光透過性基板１と、上記光透過性基板１上に形成され、紫外線硬化性樹脂からなり、かつ表面に可視光領域の波長以下の周期で形成された凹凸形状を有する反射防止層２とを有するものであり、さらに上記反射防止層２に紫外線吸収剤が含まれており、かつ上記光透過性基板１が実質的に紫外線を吸収する性質を有さないものであることを特徴とするものである。
【００５８】
本発明によれば、上記反射防止フィルムとして上記本発明に係る反射防止フィルムが用いられていることにより、紫外線による偏光子の経時劣化が少なく、かつ表示品質に優れた液晶表示装置を作製することが可能な偏光板を得ることができる。また、本発明の偏光板は上記光透過性基板が紫外線吸収剤等が含まず、実質的に紫外線を吸収する性質を有さないことにより、偏光子と反射防止フィルムとの密着性を向上できるという利点を有する。
【００５９】
本発明の偏光板は、少なくとも反射防止フィルムと、偏光子と、偏光板保護フィルムとが用いられたものであり、必要に応じて他の任意の構成が用いられてもよいものである。
以下、本発明に用いられる各構成について順に説明する。
【００６０】
１．反射防止フィルム
本発明に用いられる反射防止フィルムは、上記本発明に係る反射防止フィルムである。そして、本発明の偏光板は本発明に係る反射防止フィルムが用いられていることにより、紫外線による偏光子の経時劣化が少なく、かつ表示品質に優れた液晶表示装置を作製することが可能な偏光板を得ることができ、さらに偏光子と反射防止フィルムとの密着性に優れるという効果を奏するものである。
【００６１】
ここで、本発明に用いられる反射防止フィルムについては、上記「Ａ．反射防止フィルム」の項において説明したものと同様であるため、ここでの説明は省略する。
【００６２】
２．偏光子
次に、本発明に用いられる偏光子について説明する。本発明に用いられる偏光子は、本発明の偏光板に所望の偏光特性を付与できるものであれば特に限定されるものではなく、一般的に液晶表示装置の偏光板に用いられる偏光子を特に制限なく用いることができる。このような偏光子としては、例えば、ポリビニルアルコールからなるフィルムにヨウ素を含浸させ、これを一軸延伸することによってポリビニルアルコールとヨウ素との錯体を形成させたものを挙げることができる。
【００６３】
３．偏光板保護フィルム
次に、本発明に用いられる偏光板保護フィルムについて説明する。本発明に用いられる偏光板保護フィルムとしては、本発明の偏光板において偏光子が空気中の水分等に曝されることを防止し、さらに偏光子の寸法変化を防止できるものであれば特に限定されるものではない。
【００６４】
本発明に用いられる偏光板保護フィルムを構成する材料としては、例えば、セルロース誘導体、シクロオレフィン系樹脂、ポリメチルメタクリレート、ポリビニルアルコール、ポリイミド、ポリアリレート、ポリエチレンテレフタレート、ポリスルホン、ポリエーテルスルホン、アモルファスポリオレフィン、変性アクリル系ポリマー、ポリスチレン、エポキシ樹脂、ポリカーボネート、ポリエステル類等を挙げることができる。なかでも本発明においては、上記セルロース誘導体またはシクロオレフィン系樹脂からなる偏光板保護フィルムが用いられることが好ましく、特にトリアセチルセルロースからなる偏光板保護フィルムが用いられることが好ましい。
【００６５】
もっとも、本発明の偏光板は、偏光子を偏光板保護フィルムと、上記反射防止フィルムとで挟持した構成を有するものであるため、本発明に用いられる偏光板保護フィルムとして、上記反射防止フィルムの光透過性基板として用いられるものと同一のフィルムが用いられることが、カール抑制等の観点から好ましい。
【００６６】
本発明に用いられる偏光板保護フィルムの厚みは、本発明の偏光板の可撓性を所望の範囲内にすることができ、かつ、偏光子と貼り合わせることにより、偏光子の寸法変化を所定の範囲内にできる範囲であれば特に限定されるものではない。なかでも本発明に用いられる偏光板保護フィルムの厚みは、５μｍ〜２００μｍの範囲内であることが好ましく、特に１５μｍ〜１５０μｍの範囲内であることが好ましく、さらに３０μｍ〜１００μｍの範囲内であることが好ましい。厚みが上記の範囲よりも薄いと、本発明の偏光板の寸法変化が大きくなってしまう場合があるからである。また、厚みが上記の範囲よりも厚いと、例えば、本発明の偏光板を裁断加工する際に、加工屑が増加したり、裁断刃の磨耗が早くなってしまう場合があるからである。
【００６７】
本発明に用いられる偏光板保護フィルムは、位相差性を有するものであってもよい。位相差性を有する偏光板保護フィルムを用いることにより、本発明の偏光板を液晶表示装置の視野角補償機能を有するものにできるという利点がある。
【００６８】
Ｃ．液晶表示装置
次に、本発明の液晶表示装置について説明する。上述したように本発明の液晶表示装置は、少なくとも液晶セルと、上記液晶セルの表示側に配置された第１偏光板と、上記液晶セルのバックライト側に配置された第２偏光板と、を有するものであって、上記第１偏光板として上記本発明に係る偏光板が用いられていることを特徴とするものである。
すなわち、本発明の液晶表示装置は、上記第１偏光板が、偏光子、上記偏光子の一方の面に貼り合わされた反射防止フィルム、および、上記偏光子の他方の面に貼り合わされた偏光板保護フィルムを有するものであり、上記反射防止フィルムが、光透過性基板と、上記光透過性基板上に形成され、紫外線硬化性樹脂からなり、かつ表面に可視光領域の波長以下の周期で形成された凹凸形状を有する反射防止層とを有するものであり、さらに上記反射防止層に紫外線吸収剤が含まれており、かつ上記光透過性基板が実質的に紫外線を吸収する性質を有さないものであることを特徴とするものである。
【００６９】
ここで、本発明において「バックライト側」とは、バックライトが配置されている面側を意味するものであり、「表示側」とは、液晶表示装置が視聴者から視認される面側を意味するものである。
【００７０】
このような本発明の液晶表示装置について図を参照しながら説明する。図６は本発明の液晶表示装置の一例を示す概略図断面図である。図６に例示するように、本発明の液晶表示装置３０は、液晶セル３１と、上記液晶セル３１の表示側に配置された第１偏光板３２と、上記液晶セル３１のバックライト側に配置された第２偏光板３３と、を有するものある。
このような例において、本発明の液晶表示装置３０は、上記第１偏光板３２が、偏光子２１、上記偏光子２１の一方の面に貼り合わされた反射防止フィルム１０、および、上記偏光子２１の他方の面に貼り合わされた偏光板保護フィルム２２を有するものであり、上記反射防止フィルム１０が、光透過性基板１と、上記光透過性基板１上に形成され、紫外線硬化性樹脂からなり、かつ表面に可視光領域の波長以下の周期で形成された凹凸形状を有する反射防止層２とを有するものであり、さらに上記反射防止層２に紫外線吸収剤が含まれており、かつ上記光透過性基板１が実質的に紫外線を吸収する性質を有さないものであることを特徴とするものである。
【００７１】
本発明によれば、上記第１偏光板として上記本発明に係る偏光板が用いられていることにより、紫外線による偏光子の経時劣化が少なく、かつ表示品質に優れた液晶表示装置を得ることができる。
【００７２】
本発明の液晶表示装置は、少なくとも第１偏光板、液晶セル、および第２偏光板を有するものであり、必要に応じて他の任意の構成が用いられてもよいものである。
以下、本発明に用いられる各構成について順に説明する。
【００７３】
１．第１偏光板
まず、本発明に用いられる第１偏光板について説明する。本発明に用いられる第１偏光板は、偏光子、上記偏光子の一方の面に貼り合わされた反射防止フィルム、および、上記偏光子の他方の面に貼り合わされた偏光板保護フィルムを有するものであり、上記反射防止フィルムが、光透過性基板と、上記光透過性基板上に形成され、紫外線硬化性樹脂からなり、かつ表面に可視光領域の波長以下の周期で形成された凹凸形状を有する反射防止層とを有するものであり、さらに上記反射防止層に紫外線吸収剤が含まれており、かつ上記光透過性基板が実質的に紫外線を吸収する性質を有さないものである。すなわち、本発明に用いられる第１偏光板は、上述した本発明に係る偏光板である。そして、本発明に用いられる第１偏光板は、後述する液晶セルの表示側に配置されるものである。
【００７４】
このような第１偏光板については、上記「Ｂ．偏光板」の項において説明したものと同様であるため、ここでの説明は省略する。
【００７５】
２．第２偏光板
本発明に用いられる第２偏光板は、後述する液晶セルのバックライト側に配置されるものである。本発明に用いられる偏光板としては、一般的に液晶表示装置に用いられる偏光板として公知のものを用いることができ、特に限定されるものではない。このような第２偏光板としては、通常、偏光子の両面に偏光板保護フィルムが貼り合わされた構成を有する者が用いられる。ここで、上記偏光子、偏光板保護フィルムについては、上記「Ｃ．偏光板」の項において説明したものを用いることができる。
【００７６】
３．液晶セル
本発明に用いられる液晶セルとしては、液晶表示装置に用いられる液晶セルとして一般的に公知のものを用いることができるため、ここでの詳しい説明は省略する。
【００７７】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７８】
以下、実施例を挙げることにより、本発明をさらに具体的に説明する。
【００７９】
［実施例］
多官能ウレタンアクリレート（日本合成製、商品名「ＵＶ１７００Ｂ」）３０重量部、ポリエチレングリコール（共栄社化学社製、「１４ＥＧ−Ａ」）７０重量部、光重合開始剤（チバスペシャリティ製、商品名「イルガキュア１８４」）５重量部、紫外線吸収剤（旭電化工業製、「商品名アデカスタブＬＡ５２」）０．０５重量部を添加混合することにより反射防止層形成用組成物を得た。
【００８０】
次に１ｍｍ厚のＡ１０８５材（アルミニウム純度９９．８５％）を０．３Ｍシュウ酸を電解液とし、電圧４０Ｖとして陽極酸化処理を行った後、リン酸／クロム酸混合液によりアルミナ層を除去した。その後上記と同じ条件にて陽極酸化を５０分間実施し、その後２重量％リン酸３０℃中に５分浸漬した。この陽極酸化とエッチング処理工程を５回繰り返すことにより周期１００ｎｍ、開口部１００ｎｍ、孔深さ２５０ｎｍ、底部３０ｎｍの賦型金型を得た。
【００８１】
反射防止層形成用組成物を賦型金型に滴下し紫外線吸収剤が添加されていない厚み８０μｍのＴＡＣフィルム（（富士フィルム株式会社製、製品名：Ｔ８０ＳＬ）を賦型金型上に載せラミネータを用いて積算光量２０００ｍＪ／ｍ２にて硬化させた。このとき、硬化するために用いた紫外線の波長は３００〜３６０ｎｍとした。その後、賦型金型を剥離することでＴＡＣフィルム上にモスアイ構造を含む反射防止層を設けた反射防止フィルムを得た。このとき、反射防止層の厚みはモスアイ構造が形成された領域を含めて１０μｍであった。また、上記紫外線照射はＴＡＣフィルム側から行った。作製された反射防止フィルムの紫外線透過率は、波長２５０ｎｍの光に対して８０．５％であった。さらに、作製された反射防止フィルムの波長５５０ｎｍの光に対する反射率は０．１％であった。
【００８２】
［比較例］
反射防止層形成用組成物に紫外線吸収剤を添加しない以外は、実施例１と同様にして反射防止フィルムを製造した。作製された反射防止フィルムの波長５５０ｎｍの光に対する反射率は１．０％であった。
【００８３】
［評価方法］
得られた反射防止積層体をポリビニルアルコール(ＰＶＡ)と未ケン化トリアセチルセルロースフィルムとを貼り合わせ、サンシャインウェザーメーターにて紫外線を200時間照射し、色味変化を分光器にて測定した。その結果を表１に示す。
【００８４】
【表１】
2011048000.tif 000003
【００８５】
実施例の反射防止フィルムを直接鹸化処理したものを、偏光素子の保護フィルムの片面に用いて偏光板を作製した。この偏光板を用いて上記反射防止フィルムの反射防止層が最表層になるように配置して液晶表示装置を作製した。
【符号の説明】
【００８６】
１        …  光透過性基板
２        …  反射防止層
３        …  ハードコート層
１０      …  反射防止フィルム
２０      …  偏光板
２１      …  偏光子
２２      …  偏光板保護フィルム
３０      …  液晶表示装置
３１      …  液晶セル
３２      …  第１偏光板
３３      …  第２偏光板
１０１    …  光透過性基板
１０２    …  樹脂層
１０３    …  スタンプ
【図１】
2011048000.tif 000004
【図２】
2011048000.tif 000005
【図３】
2011048000.tif 000006
【図４】
2011048000.tif 000007
【図５】
2011048000.tif 000008
【図６】
2011048000.tif 000009
【図７】
2011048000.tif 000010